(57)【要約】【課題】分離型空気調和機の端子台への接続ケーブルの接続不良により端子台が過熱した場合に周囲可燃物への延焼を防止する方法として、端子台周囲を延焼防止カバーで覆い延焼を防止する方法があるが、空気調和機の据付け作業時に前記カバーを取外す為取り付け忘れの可能性がある。【解決手段】本発明による分離型空気調和機は、接続ケーブルを端子台に接続するための作業用開口部１３を閉じるための開口部蓋６を取り付ける際に、開口部蓋６の固定を延焼防止カバー８に対して行ない、延焼防止カバー８を付け忘れた状態では開口部蓋６の取り付けができない構造とした。【選択図】  図４
2004324944.tif 000002
【特許請求の範囲】
【請求項１】
室内機と室外機とを接続ケーブルで電気的に接続するための端子台と、そのケーブル接続作業を行なうための外殻開口部と、端子台の周囲を覆う延焼防止カバーと、前記開口部を塞ぐ為の開口部蓋を備えた空気調和機において、開口部蓋の取り付け手段を延焼防止カバーへのねじ止めにより実現することを特徴とする分離型空気調和機。
【請求項２】
開口部蓋の取り付け手段を開口部蓋に設けた爪構造を延焼防止カバーに引っ掛けることで実現することを特徴とする請求項１記載の分離型空気調和機。
【請求項３】
開口部蓋の取り付け手段を開口部蓋に設けた爪を開口部周囲の外殻に引っ掛けることと延焼防止カバーへのねじ止めにより実現すること特徴とする請求項１記載の分離型空気調和機。
【請求項４】
開口部蓋の取り付け手段を開口部蓋に設けた爪を開口部周囲の外殻および延焼防止カバーに引っ掛けることにより実現すること特徴とする請求項１記載の分離型空気調和機。
【発明の詳細な説明】
【０００１】
【発明の属する技術分野】
本発明は、空気調和機に係わり、特に室内機と室外機を接続する端子台周辺の構造に関するものである。
【０００２】
【従来の技術】
分離型空気調和機の室内機と室外機を接続するケーブルには室外機に搭載された圧縮機を運転するための大きな電流が流れるため、端子台へのケーブルの接続は確実に行なう必要がある。万一、接続が不確実で接触抵抗が大きい状態で運転を行なうと、運転中の電流によるジュール熱により端子台が過熱し、周囲に可燃物がある場合には延焼する恐れがある。
【０００３】
このため、端子台の周囲を覆う延焼防止カバーを設け万一の延焼防止を図った例として、特開平１１−２４２８号公報、特開２００１−６５９１３号公報などに記載の技術がある。
【０００４】
また、ケーブルの接続作業時に製品外郭を全て開放して行なうのでは作業工数が大きいため、例えば特開平１０−２６７３１２号公報の中で記述があるように製品の外郭に作業用の開口部を設け、作業完了後に開口部を蓋で閉じる構造とし据付け現場での作業を容易にするのが一般的である。この場合の作業手順としては、開口部蓋、端子台周囲の延焼防止カバーを取り外した状態でケーブルを端子台に接続した後、延焼防止カバーを取り付け、最後に開口部蓋を閉じ作業完了となる。
【０００５】
開口部蓋を難燃性の材料で製作すること、または、開口部蓋の背面に金属板等で製作したカバーを取り付けること等により、端子台周囲延焼防止の機能を兼用させることも可能であるが、端子台周囲を十分に覆い隠すためには構造的な制約が多く、結果として十分な隠蔽製を得られないことが多い。
【０００６】
【特許文献１】
特開平１１−２４２８号公報
【特許文献２】
特開２００１−６５９１３号公報
【特許文献３】
特開平１０−２６７３１２号公報
【０００７】
【発明が解決しようとする課題】
従来技術により、端子台周囲の延焼防止カバーを取り付けた後、開口部蓋を取り付ける構造を採用した場合には、万一、作業者が延焼防止カバーの取り付けを忘れた場合においても作業完了後には外見からそのことを発見することが難しく、端子台からの延焼防止機能が無い状態で製品を使用することになり、ケーブルの接続が確実に行なわれず端子台が過熱した場合は周囲の可燃物に延焼する可能性がある。
【０００８】
【課題を解決するための手段】
本発明では端子台へのケーブル接続作業用の開口部の蓋を取り付ける際に、既に内部に取り付けてあるべき端子台周囲の延焼防止カバーに対して蓋の固定を行なうものである。
【０００９】
これにより、延焼防止カバーを取り付け忘れた場合には開口部の蓋を取り付けることができず、延焼防止カバーが存在していないことに気がつき、作業不良を未然に防ぐことができる。
【００１０】
また、作業者以外の者でも外観より容易に作業の不備を発見することができる。
【００１１】
【発明の実施の形態】
以下、本発明の一実施例を図によって説明する。
【００１２】
図１は本発明の一実施例による空気調和和機の外観図、図２は同空気調和機の端子台近傍縦断面図である。
【００１３】
図１に示す室内機１は一般に室内の壁面上部の天井近くに設置され、本実施例では特に説明しないが冷媒を循環する冷媒配管および電力の供給および運転操作を行なう接続ケーブルを介して室外に設置される室外機と接続して空気調和機を構成し、リモコン等の運転操作指示により冷房、暖房、除湿、空気清浄、送風、およびその他の運転を行なうものである。
【００１４】
室内ユニット１の外観は直方体の横長形状をしており、吐出口３より冷気、暖気等、運転状態に応じた空気を吐出し室内の空調を行なう。通常は前面パネル２を閉じた状態で使用するが、図１、図２では本発明の説明を行なうため前面パネル２を開放した状態として示す。前面パネル２を開放した内部には開口部蓋６があり、これを取り外すことで接続ケーブル１１を端子台１０に接続する作業が可能となる。
【００１５】
製品の内部構造は図２で示す通りであり、熱交換器４を通過した空気は送風ファン５により吐出口３に導かれる。また、端子台１０は金属板等の難燃物で作られた電装品箱１２に納められており、その前面は同難燃物で作られた延焼防止カバー８により閉じられている。更に延焼防止カバー８の前面には開口部蓋６があり開口部蓋固定ねじ７により延焼防止カバー８に固定されている。
【００１６】
この状態で端子台１０は電装品箱１２と延焼防止カバー８により覆われており、万一、端子台１０が過熱した場合においても外部への延焼を防止できる。また、製品を外部から見ると開口部蓋６により外殻の開口部を塞いでいるため、外観が良好であり、また、製品使用者が不用意に製品内部に触れる恐れが無く、開口部より異物が侵入することもない。
【００１７】
次に接続ケーブル１１を端子台１０に接続した後に延焼防止カバー８、開口部蓋６を取り付ける作業過程を図３、図４により説明する。
【００１８】
図３に示す状態は接続ケーブル１１の接続が完了し、延焼防止カバー８を取り付けようとしている状態である。
【００１９】
端子台１０に接続ケーブル１１を接続し、ケーブルの取りまとめ状態を確認後、延焼防止カバー８の延焼防止カバー取り付け爪８ａを電装品箱１２の端部に引っ掛け、閉じた後、延焼防止カバー固定ねじ９により固定する。続いて図４に示す様に開口部蓋６により開口部１３を閉じ、開口部蓋固定ねじ７により延焼防止カバー８に開口部蓋６を固定する。
【００２０】
図５、図６に他の実施例を示す。
【００２１】
図５の実施例では開口部蓋６の固定を爪構造により行なったものであり、開口部蓋固定爪６ａを延焼防止カバー８の取り付け穴に引っ掛けることで固定する。蓋を取り外す場合は固定解除用穴６ｂにマイナスドライバー等を挿入して、それにより開口部固定爪６ｂを押し曲げることで延焼防止カバー８への爪の掛かりを解除して行なう。
【００２２】
また、図６の実施例では開口部蓋６の固定を開口部蓋固定爪６ｃと開口部蓋固定ねじ７により行なったものであり、先ず開口部蓋固定爪６ｃをケーブル接続作業用開口部１３の端部に引っ掛けた後、蓋を閉じ、つづいて開口部蓋固定ねじ７により延焼防止カバー８に対し開口部蓋６を固定する。この方法は開口部蓋６の形状がが大きく、延焼防止カバー８への固定のみでは取り付けが不安定な場合に有効である。なお、この場合、開口部蓋固定ねじ７の代わりに爪構造を用いて延焼防止カバー８への固定を行なっても同様の効果が得られる。
【００２３】
以上の説明では室内機を実施例として示したが、室外機においても本発明は有効であり、同様の端子台周囲構造を採用することで同様の効果を得ることができる。
【００２４】
【発明の効果】
本発明の空気調和機では延焼防止カバーに対し開口部蓋の固定を行なうことを特徴としている。このため開口部蓋の取り付けを行うためには延焼防止カバーが既に取り付けられている必要があり、空気調和機の据付け作業において、端子台に接続ケーブルを接続し、接続作業用開口部を開口部蓋で閉じて作業を完了するためには延焼防止カバーが取り付けられていることが欠かせない。
【００２５】
このため、万一、据付け作業者が端子台に接続ケーブルを接続した後に延焼防止カバーの取り付けを忘れたまま開口部蓋の取り付けを行おうとしても、開口部蓋の固定ができず、延焼防止カバーが存在していないことに気がつき、作業不良を未然に防ぐことができる。
【００２６】
また、開口部蓋が固定されていないこの状態は据付け作業者以外の者にも容易に発見できるため、作業の不備を指摘することができる。
【００２７】
本発明によれば、延焼防止カバーの取り付け忘れを防止でき、また、取り付けを忘れた状態を容易に発見できるため、延焼防止カバーの無い状態で空気調和機の運転を開始してしまうことを防止できる。
【図面の簡単な説明】
【図１】本発明の一実施例による空気調和和機の外観図。
【図２】同空気調和機の端子台近傍の縦断面図。
【図３】開口部蓋と延焼防止カバーを開放した状態のケーブル接続用開口部内部説明図。
【図４】開口部蓋をねじで固定した実施例の説明図。
【図５】開口部蓋を爪で固定した実施例の説明図。
【図６】開口部蓋をねじと爪で固定した実施例の説明図。
【符号の説明】
１…室内機、２…前面パネル、３…吐出口、４…熱交換器、５…送風ファン、６…開口部蓋、６ａ…開口部蓋固定爪、６ｂ…固定解除用穴、６ｃ…開口部蓋固定爪、７…開口部蓋固定ねじ、８…延焼防止カバー、８ａ…延焼防止カバー固定爪、９…延焼防止カバー固定ねじ、１０…端子台、１１…接続ケーブル、１２…電装品箱、１３…ケーブル接続作業用開口部。
【図１】
2004324944.tif 000003
【図２】
2004324944.tif 000004
【図３】
2004324944.tif 000005
【図４】
2004324944.tif 000006
【図５】
2004324944.tif 000007
【図６】
2004324944.tif 000008